(57)【要約】【課題】レシーバをマイクロホンとして使用し、従来のマイクロホンと共に話者音声を集音し、着信音を出力するスピーカから拡声する。【解決手段】待ち受けモード、通話モードに加え、拡声モードを備え、拡声モード時には、レシーバをマイクロホンとして作動させたとき出力する話者音声信号を増幅する第２の送話増幅器と、待ち受けモード、通話モードにおける音声変換部と受話増幅器を接続する受話信号路および第１の送話増幅器と音声変換部を接続する送話信号路を遮断し、且つスピーカ増幅器に入力する呼出信号路を遮断し、第１および第２の送話増幅器が出力する話者音声信号を合成しスピーカ増幅器へ接続し、且つスピーカ増幅器が出力する第１および第２の送話増幅器からの話者音声信号をユーザの要求によりスピーカまたはイヤホンジャックへ接続する信号経路切替部を有する。【選択図】      図２
2005020435.tif 000002
【特許請求の範囲】
【請求項１】
発信元の移動電話機と着信先の移動電話機とを基地局を介して無線回線で接続し通話を行う移動電話機において、前記移動電話機が具備する受話音声信号を出力するためのレシーバを第２のマイクロホンとして作動させ、前記移動電話機が具備する話者音声を集音するためのマイクロホンを第１のマイクロホンとして作動させ、前記第１のマイクロホンがユーザの発する音声を集音して出力する話者音声信号と、前記第２のマイクロホンが前記ユーザの発する音声を集音して出力する話者音声信号とを合成、増幅して前記移動電話機が具備する着信音を出力するためのスピーカから所定の音量で拡声する拡声機能を有することを特徴とする拡声機能付き移動電話機。
【請求項２】
発信元の移動電話機と着信先の移動電話機とを基地局を介して無線回線で接続し通話を行う移動電話機において、前記移動電話機の待ち受けモード、通話モードに加え、前記移動電話機のユーザが発する音声を、着信音を出力するためのスピーカを利用して所定の音量で拡声する拡声モードを備え、前記拡声モード時には前記待ち受けモード、前記通話モードにおける装置内部の送話信号路および受話信号路を遮断し、前記移動電話機が具備する受話音声信号を出力するためのレシーバを第２のマイクロホンとして作動させ、前記移動電話機が具備する話者音声を集音するためのマイクロホンを第１のマイクロホンとして作動させ、前記第１のマイクロホンがユーザの発する音声を集音して出力する話者音声信号と、前記第２のマイクロホンが前記ユーザの発する音声を集音して出力する話者音声信号とを合成、増幅して前記移動電話機が具備する着信音を出力するためのスピーカから所定の音量で拡声する信号経路に切り替える信号経路切替手段を有することを特徴とする拡声機能付き移動電話機。
【請求項３】
発信元の移動電話機と着信先の移動電話機とを基地局を介して無線回線で接続し通話を行う受話信号を出力するレシーバと、ユーザが発する音声を集音するマイクロホンと、着信音を出力するスピーカと、電力制御機能や周波数切替機能を備える通信制御部と、送話音声信号および受話音声信号のデジタルデータとアナログデータの変換機能を備える音声変換部と、ダイヤルキー、ファンクションキーからなる操作部と、前記操作部の操作情報を検出するキー入力制御部と、電話番号、文字情報を表示する表示部と、前記表示部を制御する表示制御部と、種々機能を実行するためのプログラムおよび情報を記憶するメモリと、前記音声変換部が出力する受話信号を増幅し前記レシーバへ出力する受話増幅器と、前記マイクロホンが集音した話者音声信号を増幅し前記音声変換部へ出力する第１の送話増幅器と、呼出信号を増幅し前記スピーカへ出力するスピーカ増幅器と、前記移動電話機全体を制御する中央処理装置と、イヤホンジャックとを有する移動電話機において、前記移動電話機の待ち受けモード、通話モードに加え、前記移動電話機のユーザが発する音声を前記スピーカを利用して拡声する拡声モードを備え、前記拡声モード時には、前記レシーバをマイクロホンとして作動させたとき出力する話者音声信号を増幅する第２の送話増幅器と、前記待ち受けモード、通話モードにおける前記音声変換部と前記受話増幅器を接続する受話信号路および前記第１の送話増幅器と前記音声変換部を接続する送話信号路を遮断し、且つ前記スピーカ増幅器に入力する呼出信号路を遮断し、前記第１の送話増幅器が出力する話者音声信号と前記第２の送話増幅器が出力する前記話者音声信号を合成し前記スピーカ増幅器へ接続し、且つ前記スピーカ増幅器が出力する前記第１の送話増幅器および第２の送話増幅器からの話者音声信号をユーザの要求により前記スピーカまたは前記イヤホンジャックへ接続する信号経路切替部とを有することを特徴とする拡声機能付き移動電話機。
【請求項４】
前記中央処理装置は、前記拡声モード時に前記ユーザの所定のキー操作に応じて前記スピーカ増幅器の利得を制御する音量制御手段と、前記音量制御手段により調整された音量レベルを前記表示部へ表示する音量表示制御手段を有することを特徴とする請求項３記載の拡声機能付き移動電話機。
【請求項５】
前記中央処理装置は、前記拡声モード時および拡声モードによる前記ユーザの発する音声を拡声中に着信を検出したとき、前記スピーカを鳴動すること無く前記表示部に着信メッセージを表示させ、所定時間経過するまでに応答が無かったとき不応答メッセージを発信元に送信し着信呼を切断し、前記所定時間経過するまでに応答があったとき前記信号経路切替部を制御して通話モードに対応する信号経路を設定させ、通話が終了したとき前記信号経路切替部を制御して拡声モードに対応する信号経路を設定させる着信制御手段を有することを特徴とする請求項３記載の拡声機能付き移動電話機。
【請求項６】
前記レシーバは、可逆性音響変換素子であることを特徴とする請求項１乃至３記載の拡声機能付き移動電話機。
【請求項７】
発信元の移動電話機と着信先の移動電話機とを基地局を介して無線回線で接続し通話を行う受話信号を出力するレシーバと、ユーザが発する音声を集音するマイクロホンと、着信音を出力するスピーカと、電力制御機能や周波数切替機能を備える通信制御部と、送話音声信号および受話音声信号のデジタルデータとアナログデータの変換機能を備える音声変換部と、ダイヤルキー、ファンクションキーからなる操作部と、前記操作部の操作情報を検出するキー入力制御部と、電話番号、文字情報を表示する表示部と、前記表示部を制御する表示制御部と、種々機能を実行するためのプログラムおよび情報を記憶するメモリと、前記音声変換部が出力する受話音声信号を増幅し前記レシーバへ出力する受話増幅器と、前記マイクロホンが集音した話者音声信号を増幅し前記音声変換部へ出力する第１の送話増幅器と、呼出信号を増幅し前記スピーカへ出力するスピーカ増幅器と、前記移動電話機全体を制御する中央処理装置と、イヤホンジャックとを有する移動電話機において、前記レシーバをマイクロホンとして作動させたとき出力する話者音声信号を増幅する第２の送話増幅器と、前記移動電話機の待ち受けモード、通話モードにおける前記音声変換部と前記受話増幅器を接続する受話信号路および前記第１の送話増幅器と前記音声変換部を接続する送話信号路を遮断し、且つ前記スピーカ増幅器に入力する呼出信号路を遮断し、前記第１の送話増幅器が出力する話者音声信号と前記第２の送話増幅器が出力する前記話者音声信号を合成し前記スピーカ増幅器へ接続し、且つ前記スピーカ増幅器が出力する前記第１の送話増幅器および第２の送話増幅器からの話者音声信号をユーザの要求により前記スピーカまたは前記イヤホンジャックへ接続する信号経路を設定する拡声モードの設定を処理するステップと、前記拡声モードの設定ステップにより拡声モードが設定された状態において前記ユーザが発する音声の拡声を処理するステップと、拡声モードが設定された状態における着信、または前記ユーザが発する音声の拡声中における着信を処理するステップとを有することを特徴とする拡声機能付き移動電話機の拡声方法。
【請求項８】
前記拡声モードの設定を処理ステップは、拡声モードが設定された初期状態において、前記ユーザのモード切替操作を検出する第１のステップと、第１のステップで検出したモード切替操作情報が拡声モード設定要求か否かを判定する第２のステップと、第２のステップにおける判定が拡声モード設定要求であるとき、前記レシーバがマイクロホンとして作動し前記ユーザが発する音声を集音して出力する話者音声信号を増幅する第２の送話増幅器の出力信号と、前記マイクロホンが前記ユーザの発する音声を集音して出力する話者音声信号を増幅する第１の送話増幅器の出力信号とを前記スピーカ増幅器の入力に接続するように信号経路を設定する第３のステップと、前記メモリに現在のモードが拡声モードである旨を記録する第４のステップと、第２のステップにおける判定が拡声モード設定要求でないとき、拡声モード解除要求か否かを判定する第５のステップと、第５のステップにおける判定結果が拡声モード解除要求でないとき第２のステップへ移行し、第５のステップにおける判定結果が拡声モード解除要求であるとき前記待ち受けモード時の信号経路を設定する第６のステップと、前記メモリに現在のモードが待ち受けモードである旨を記録する第７のステップとを有することを特徴とする請求項７記載の拡声機能付き移動電話機の拡声方法。
【請求項９】
拡声モードが設定された状態において前記ユーザが発する音声の拡声を処理するステップは、拡声モードが設定された初期状態において、前記ユーザが発する音声を前記マイクロホンおよび前記レシーバにより集音し出力する話者音声信号を所定の音量で前記スピーカから拡声する第８のステップと、前記ユーザの所定のキー操作による拡声音量調整操作に応答して前記スピーカを駆動するスピーカ増幅器の利得を制御する第９のステップと、第９のステップにおいて調整した拡声音量レベルを前記表示部に表示する第１０のステップと、前記ユーザが発する音声の拡声中における着信の有無を監視する第１１のステップと、着信が無かったとき拡声を継続し、拡声が終了したとき前記初期状態に移行する第１２のステップを有することを特徴とする請求項７乃至８記載の拡声機能付き移動電話機の拡声方法。
【請求項１０】
拡声モードが設定された状態における着信を処理するステップは、拡声モードが設定された初期状態において、着信の有無を監視する第１３のステップと、着信が無かったとき前記初期状態に移行し、第１３のステップで着信を検出したとき、および前記第１１のステップ拡声中に着信を検出したとき前記スピーカを鳴動させること無く前記表示部に着信がある旨の着信メッセージを表示する第１４のステップと、前記着信メッセージの前記表示部への着信と同時にタイマを起動しユーザの応答を監視する第１５のステップと、前記タイマがタイムアウトを検出する第１６のステップと、前記タイマがタイムアウトするまでの間に第１５のステップで前記ユーザの応答を検出できなかったとき着信に応答できない旨の不応答メッセージを発信元へ送信して着信呼を切断し前記初期状態へ移行する第１７のステップと、第１５のステップにおいて前記ユーザの応答を検出したとき呼接続処理を行い、通話モード時の信号経路を設定する第１８のステップと、前記メモリに現在にモードが通話モードである旨を記録し通話状態に移行する第１９のステップと、通話の終了を検出したとき拡声モード時の信号経路を設定する第２０のステップと、前記メモリに現在のモードが拡声モードである旨を記録し前記初期状態に移行する第２１のステップを有することを特徴とする請求項７乃至９記載の拡声機能付き移動電話機の拡声方法。
【請求項１１】
発信元の移動電話機と着信先の移動電話機とを基地局を介して無線回線で接続し通話を行う受話信号を出力するレシーバと、ユーザが発する音声を集音するマイクロホンと、着信音を出力するスピーカと、電力制御機能や周波数切替機能を備える通信制御部と、送話音声信号および受話音声信号のデジタルデータとアナログデータの変換機能を備える音声変換部と、ダイヤルキー、ファンクションキーからなる操作部と、前記操作部の操作情報を検出するキー入力制御部と、電話番号、文字情報を表示する表示部と、前記表示部を制御する表示制御部と、種々機能を実行するためのプログラムおよび情報を記憶するメモリと、前記音声変換部が出力する受話音声信号を増幅し前記レシーバへ出力する受話増幅器と、前記マイクロホンが集音した話者音声信号を増幅し前記音声変換部へ出力する第１の送話増幅器と、呼出信号を増幅し前記スピーカへ出力するスピーカ増幅器と、前記移動電話機全体を制御する中央処理装置と、イヤホンジャックとを有する移動電話機において、前記レシーバをマイクロホンとして作動させたとき出力する話者音声信号を増幅する第２の送話増幅器と、前記移動電話機の待ち受けモード、通話モードにおける前記音声変換部と前記受話増幅器を接続する受話信号路および前記第１の送話増幅器と前記音声変換部を接続する送話信号路を遮断し、且つ前記スピーカ増幅器に入力する呼出信号路を遮断し、前記第１の送話増幅器が出力する話者音声信号と前記第２の送話増幅器が出力する前記話者音声信号を合成し前記スピーカ増幅器へ接続し、且つ前記スピーカ増幅器が出力する前記第１の送話増幅器および第２の送話増幅器からの話者音声信号をユーザの要求により前記スピーカまたは前記イヤホンジャックへ接続する信号経路を設定する拡声モードの設定を処理するステップと、前記拡声モードの設定ステップにより拡声モードが設定された状態において前記ユーザが発する音声の拡声を処理するステップと、拡声モードが設定された状態における着信、または前記ユーザが発する音声の拡声中における着信を処理するステップを中央処理装置に実行させるプログラム。
【請求項１２】
前記拡声モードの設定を処理ステップは、拡声モードが設定された初期状態において、前記ユーザのモード切替操作を検出する第１のステップと、第１のステップで検出したモード切替操作情報が拡声モード設定要求か否かを判定する第２のステップと、第２のステップにおける判定が拡声モード設定要求であるとき、前記レシーバがマイクロホンとして作動し前記ユーザが発する音声を集音して出力する話者音声信号を増幅する第２の送話増幅器の出力信号と、前記マイクロホンが前記ユーザの発する音声を集音して出力する話者音声信号を増幅する第１の送話増幅器の出力信号とを前記スピーカ増幅器の入力に接続するように信号経路を設定する第３のステップと、前記メモリに現在のモードが拡声モードである旨を記録する第４のステップと、第２のステップにおける判定が拡声モード設定要求でないとき、拡声モード解除要求か否かを判定する第５のステップと、第５のステップにおける判定結果が拡声モード解除要求でないとき第２のステップへ移行し、第５のステップにおける判定結果が拡声モード解除要求であるとき前記待ち受けモード時の信号経路を設定する第６のステップと、前記メモリに現在のモードが待ち受けモードである旨を記録する第７のステップを中央処理装置に実行させる請求項１１記載のプログラム。
【請求項１３】
拡声モードが設定された状態において前記ユーザが発する音声の拡声を処理するステップは、拡声モードが設定された初期状態において、前記ユーザが発する音声を前記マイクロホンおよび前記レシーバにより集音し出力する話者音声信号を所定の音量で前記スピーカから拡声する第８のステップと、前記ユーザの所定のキー操作による拡声音量調整操作に応答して前記スピーカを駆動するスピーカ増幅器の利得を制御する第９のステップと、第９のステップにおいて調整した拡声音量レベルを前記表示部に表示する第１０のステップと、前記ユーザが発する音声の拡声中における着信の有無を監視する第１１のステップと、着信が無かったとき拡声を継続し、拡声が終了したとき前記初期状態に移行する第１２のステップを中央処理装置に実行させる請求項１１乃至１２記載のプログラム。
【請求項１４】
拡声モードが設定された状態における着信を処理するステップは、拡声モードが設定された初期状態において、着信の有無を監視する第１３のステップと、着信が無かったとき前記初期状態に移行し、第１３のステップで着信を検出したとき、および前記第１１のステップ拡声中に着信を検出したとき前記スピーカを鳴動させること無く前記表示部に着信がある旨の着信メッセージを表示する第１４のステップと、前記着信メッセージの前記表示部への着信と同時にタイマを起動しユーザの応答を監視する第１５のステップと、前記タイマがタイムアウトを検出する第１６のステップと、前記タイマがタイムアウトするまでの間に第１５のステップで前記ユーザの応答を検出できなかったとき着信に応答できない旨の不応答メッセージを発信元へ送信して着信呼を切断し前記初期状態へ移行する第１７のステップと、第１５のステップにおいて前記ユーザの応答を検出したとき呼接続処理を行い、通話モード時の信号経路を設定する第１８のステップと、前記メモリに現在にモードが通話モードである旨を記録し通話状態に移行する第１９のステップと、通話の終了を検出したとき拡声モード時の信号経路を設定する第２０のステップと、前記メモリに現在のモードが拡声モードである旨を記録し前記初期状態に移行する第２１のステップを中央処理装置に実行させる請求項１１乃至１３記載のプログラム。
【発明の詳細な説明】
【０００１】
【発明の属する技術分野】
本発明は拡声機能付き移動電話機に関し、特にハンドマイクとして使用可能な移動電話機の拡声方法に関する。
【０００２】
【従来の技術】
従来の周囲に音声信号を拡声して情報伝達するために拡声装置が使用される。また、災害時における被害者の救護や混乱する災害現場における群集の誘導等にも拡声装置が使用される。
このような場合に使用される従来の拡声装置は、大型で重いため持ち運びに不便であり、また長時間の使用においては使用者の肉体的疲労は免れない。
一方、突然の災害等により崩壊した家屋やビルの下敷きになった人が救助を求める場面では、負傷、疲労等で大声が出せない場合も予測される。
このような場合、携帯している移動電話を使用して緊急連絡先へ発信して救助を求めることは可能であるが、このような災害時においては電話回線が輻輳して緊急連絡先との接続は困難な場合が多い。
このような場合に電話回線を通じて緊急連鎖機へ救助を求めるのではなく、自己が携帯している移動電話機を拡声装置として使用することができれば便利であるが、従来の移動電話機のスピーカからは着信音や着信メロディーもしくは通話相手の音声を出力するが、自分の声をスピーカから出力する機能はなかった。
また、ハンズフリー機能を備えた移動電話機であっても自分の声は自分の電話機からは出力されない。
【０００３】
従って、日常携帯している移動電話を使用して自分の声を拡声することができる拡声機能付き移動電話機が望まれる。
【０００４】
拡声機能を備えた移動電話機が下記公報に提案されている。
例えば、局を介して通常の通信を行う公衆モードと、ＰＨＳ端末装置をコードレス電話の子機として使用する家庭モードと、ＰＨＳ端末装置をＰＢＸの端末として使用するオフィスモードと、局を介さずに他のＰＨＳ端末装置と直接通信を行うトランシーバモードとから成る通信モードに対応して拡声通信機能の使用の有無を示す拡声選択情報を記憶手段に予め設定しておき、ユーザのキー操作情報がトランシーバモードの設定要求であったとき、記憶手段を検索しトランシーバモードに対応して記憶されている拡声選択情報が拡声通話であるとき、無線部が相手のＰＨＳ端末装置から受信した音声信号をスピーカから十分な音量で拡声させ、ユーザおよび付近の人に同時に相手のＰＨＳ端末装置からの音声を聴取可能とするＰＨＳ端末装置が、特開平１１−３０８１６６号公報に提案されている（第１の従来技術）。
【０００５】
【特許文献１】
特開平１１−３０８１６６号公報（段落番号００１２〜００２０、図１〜４）
また、受話音声信号および着信音信号用として第１スピーカと、着信音信号用として第２のスピーカとを備え、第１のスピーカを受話音声用として使用するか拡声用として使用するかの鳴動設定を予め登録しておき、待ち受け状態において着呼信号を検出すると、第１のスピーカの鳴動設定が「拡声用」か否かを判定し「拡声用」であるとき、第１のスピーカおよび第２のスピーカから着信音を拡声し、「受話音声用」であるときは、第２のスピーカらのみ着信音を出力し、着呼を認識したユーザの通話開始キー操作を検出すると着信音を停止すると共に登録されている鳴動設定を検索し第１のスピーカが「拡声用」であるか否かを判定し、「拡声用」である場合は受話音声信号を受話音声用ＡＭＰを介して第１のスピーカからのみ出力し、鳴動設定が「拡声用」でない場合には受話音声信号を受話音声用ＡＭＰを介して第１のスピーカからのみ出力し、また、インターネットを介してダウンロードし記憶してある音楽データを再生する場合には、第１のスピーカの鳴動設定を「拡声用」に設定することにより、音楽信号を第１のスピーカおよび第２のスピーカの双方から出力する携帯イ電話機が、特開２００２−１１８６４２号公報に提案されている（第２の従来技術）。
【０００６】
【特許文献２】
特開２００２−１１８６４２号公報（段落番号００２４〜００４７、図  ２〜５）
【０００７】
【発明が解決しようとする課題】
上述した第１の従来技術は、トランシーバモードのとき相手のＰＨＳ端装置から受信した音声信号を通常のレシーバとして使用さされるスピーカと異なる専用の拡声手段（増幅部およびスピーカ）により出力し、ユーザと共に周囲の人が相手のＰＨＳ端装置からの音声を聴取するものであり、ＰＨＳ端末装置や携帯電話装置のマイクロホンからユーザ自身が入力した音声をスピーカで拡声して、周囲に報知せしめるものではない。
また、第２の従来技術は、受話音声信号および着信音信号用として第１スピーカと、着信音信号用として第２のスピーカとを備え、着信音や音楽信号は第１のスピーカと第２のスピーカの双方から出力し、受話信号は第１のスピーカからのみ出力するものであり、ＰＨＳ端末装置や携帯電話機のマイクロホンからユーザ自身が入力した音声をスピーカで拡声して、周囲に報知せしめるものではない。
【０００８】
このように第１および第２の従来技術では、移動電話機（携帯電話機）を拡声装置として使用することができない。
【０００９】
本発明の目的は、通常の通話時に受話信号を出力するレシーバをマイクロホンとして使用し、通常の通話時に話者音声を集音するマイクロホンと共に話者音声を集音し、着信時に着信音を出力するスピーカから拡声する拡声機能付き移動電話機を提供することにある。
【００１０】
【課題を解決するための手段】
本発明の拡声機能付き移動電話機は、発信元の移動電話機と着信先の移動電話機とを基地局を介して無線回線で接続し通話を行う移動電話機において、前記移動電話機が具備する受話音声信号を出力するためのレシーバを第２のマイクロホンとして作動させ、前記移動電話機が具備する話者音声を集音するためのマイクロホンを第１のマイクロホンとして作動させ、前記第１のマイクロホンがユーザの発する音声を集音して出力する話者音声信号と、前記第２のマイクロホンが前記ユーザの発する音声を集音して出力する話者音声信号とを合成、増幅して前記移動電話機が具備する着信音を出力するためのスピーカから所定の音量で拡声する拡声機能を有することを特徴とする。
【００１１】
また、発信元の移動電話機と着信先の移動電話機とを基地局を介して無線回線で接続し通話を行う移動電話機において、前記移動電話機の待ち受けモード、通話モードに加え、前記移動電話機のユーザが発する音声を、着信音を出力するためのスピーカを利用して所定の音量で拡声する拡声モードを備え、前記拡声モード時には前記待ち受けモード、前記通話モードにおける装置内部の送話信号路および受話信号路を遮断し、前記移動電話機が具備する受話音声信号を出力するためのレシーバを第２のマイクロホンとして作動させ、前記移動電話機が具備する話者音声を集音するためのマイクロホンを第１のマイクロホンとして作動させ、前記第１のマイクロホンがユーザの発する音声を集音して出力する話者音声信号と、前記第２のマイクロホンが前記ユーザの発する音声を集音して出力する話者音声信号とを合成、増幅して前記移動電話機が具備する着信音を出力するためのスピーカから所定の音量で拡声する信号経路に切り替える信号経路切替手段を有することを特徴とする。
【００１２】
また、発信元の移動電話機と着信先の移動電話機とを基地局を介して無線回線で接続し通話を行う受話信号を出力するレシーバと、ユーザが発する音声を集音するマイクロホンと、着信音を出力するスピーカと、電力制御機能や周波数切替機能を備える通信制御部と、送話音声信号および受話音声信号のデジタルデータとアナログデータの変換機能を備える音声変換部と、ダイヤルキー、ファンクションキーからなる操作部と、前記操作部の操作情報を検出するキー入力制御部と、電話番号、文字情報を表示する表示部と、前記表示部を制御する表示制御部と、種々機能を実行するためのプログラムおよび情報を記憶するメモリと、前記音声変換部が出力する受話信号を増幅し前記レシーバへ出力する受話増幅器と、前記マイクロホンが集音した話者音声信号を増幅し前記音声変換部へ出力する第１の送話増幅器と、呼出信号を増幅し前記スピーカへ出力するスピーカ増幅器と、前記移動電話機全体を制御する中央処理装置と、イヤホンジャックとを有する移動電話機において、前記移動電話機の待ち受けモード、通話モードに加え、前記移動電話機のユーザが発する音声を前記スピーカを利用して拡声する拡声モードを備え、前記拡声モード時には、前記レシーバをマイクロホンとして作動させたとき出力する話者音声信号を増幅する第２の送話増幅器と、前記待ち受けモード、通話モードにおける前記音声変換部と前記受話増幅器を接続する受話信号路および前記第１の送話増幅器と前記音声変換部を接続する送話信号路を遮断し、且つ前記スピーカ増幅器に入力する呼出信号路を遮断し、前記第１の送話増幅器が出力する話者音声信号と前記第２の送話増幅器が出力する前記話者音声信号を合成し前記スピーカ増幅器へ接続し、且つ前記スピーカ増幅器が出力する前記第１の送話増幅器および第２の送話増幅器からの話者音声信号をユーザの要求により前記スピーカまたは前記イヤホンジャックへ接続する信号経路切替部とを有することを特徴とする。
【００１３】
また、前記中央処理装置は、前記拡声モード時に前記ユーザの所定のキー操作に応じて前記スピーカ増幅器の利得を制御する音量制御手段と、前記音量制御手段により調整された音量レベルを前記表示部へ表示する音量表示制御手段を有することを特徴とする。
【００１４】
また、前記中央処理装置は、前記拡声モード時および拡声モードによる前記ユーザの発する音声を拡声中に着信を検出したとき、前記スピーカを鳴動すること無く前記表示部に着信メッセージを表示させ、所定時間経過するまでに応答が無かったとき不応答メッセージを発信元に送信し着信呼を切断し、前記所定時間経過するまでに応答があったとき前記信号経路切替部を制御して通話モードに対応する信号経路を設定させ、通話が終了したとき前記信号経路切替部を制御して拡声モードに対応する信号経路を設定させる着信制御手段を有することを特徴とする。
【００１５】
また、前記レシーバは、可逆性音響変換素子であることを特徴とする。
【００１６】
本発明の拡声機能付き移動電話機の拡声方法は、発信元の移動電話機と着信先の移動電話機とを基地局を介して無線回線で接続し通話を行う受話信号を出力するレシーバと、ユーザが発する音声を集音するマイクロホンと、着信音を出力するスピーカと、電力制御機能や周波数切替機能を備える通信制御部と、送話音声信号および受話音声信号のデジタルデータとアナログデータの変換機能を備える音声変換部と、ダイヤルキー、ファンクションキーからなる操作部と、前記操作部の操作情報を検出するキー入力制御部と、電話番号、文字情報を表示する表示部と、前記表示部を制御する表示制御部と、種々機能を実行するためのプログラムおよび情報を記憶するメモリと、前記音声変換部が出力する受話音声信号を増幅し前記レシーバへ出力する受話増幅器と、前記マイクロホンが集音した話者音声信号を増幅し前記音声変換部へ出力する第１の送話増幅器と、呼出信号を増幅し前記スピーカへ出力するスピーカ増幅器と、前記移動電話機全体を制御する中央処理装置と、イヤホンジャックとを有する移動電話機において、前記レシーバをマイクロホンとして作動させたとき出力する話者音声信号を増幅する第２の送話増幅器と、前記移動電話機の待ち受けモード、通話モードにおける前記音声変換部と前記受話増幅器を接続する受話信号路および前記第１の送話増幅器と前記音声変換部を接続する送話信号路を遮断し、且つ前記スピーカ増幅器に入力する呼出信号路を遮断し、前記第１の送話増幅器が出力する話者音声信号と前記第２の送話増幅器が出力する前記話者音声信号を合成し前記スピーカ増幅器へ接続し、且つ前記スピーカ増幅器が出力する前記第１の送話増幅器および第２の送話増幅器からの話者音声信号をユーザの要求により前記スピーカまたは前記イヤホンジャックへ接続する信号経路を設定する拡声モードの設定を処理するステップと、前記拡声モードの設定ステップにより拡声モードが設定された状態において前記ユーザが発する音声の拡声を処理するステップと、拡声モードが設定された状態における着信、または前記ユーザが発する音声の拡声中における着信を処理するステップとを有することを特徴とする。
【００１７】
また、前記拡声モードの設定を処理ステップは、拡声モードが設定された初期状態において、前記ユーザのモード切替操作を検出する第１のステップと、第１のステップで検出したモード切替操作情報が拡声モード設定要求か否かを判定する第２のステップと、第２のステップにおける判定が拡声モード設定要求であるとき、前記レシーバがマイクロホンとして作動し前記ユーザが発する音声を集音して出力する話者音声信号を増幅する第２の送話増幅器の出力信号と、前記マイクロホンが前記ユーザの発する音声を集音して出力する話者音声信号を増幅する第１の送話増幅器の出力信号とを前記スピーカ増幅器の入力に接続するように信号経路を設定する第３のステップと、前記メモリに現在のモードが拡声モードである旨を記録する第４のステップと、第２のステップにおける判定が拡声モード設定要求でないとき、拡声モード解除要求か否かを判定する第５のステップと、第５のステップにおける判定結果が拡声モード解除要求でないとき第２のステップへ移行し、第５のステップにおける判定結果が拡声モード解除要求であるとき前記待ち受けモード時の信号経路を設定する第６のステップと、前記メモリに現在のモードが待ち受けモードである旨を記録する第７のステップとを有することを特徴とする。
【００１８】
また、拡声モードが設定された状態において前記ユーザが発する音声の拡声を処理するステップは、拡声モードが設定された初期状態において、前記ユーザが発する音声を前記マイクロホンおよび前記レシーバにより集音し出力する話者音声信号を所定の音量で前記スピーカから拡声する第８のステップと、前記ユーザの所定のキー操作による拡声音量調整操作に応答して前記スピーカを駆動するスピーカ増幅器の利得を制御する第９のステップと、第９のステップにおいて調整した拡声音量レベルを前記表示部に表示する第１０のステップと、前記ユーザが発する音声の拡声中における着信の有無を監視する第１１のステップと、着信が無かったとき拡声を継続し、拡声が終了したとき前記初期状態に移行する第１２のステップを有することを特徴とする。
また、拡声モードが設定された状態における着信を処理するステップは、拡声モードが設定された初期状態において、着信の有無を監視する第１３のステップと、着信が無かったとき前記初期状態に移行し、第１３のステップで着信を検出したとき、および前記第１１のステップ拡声中に着信を検出したとき前記スピーカを鳴動させること無く前記表示部に着信がある旨の着信メッセージを表示する第１４のステップと、前記着信メッセージの前記表示部への着信と同時にタイマを起動しユーザの応答を監視する第１５のステップと、前記タイマがタイムアウトを検出する第１６のステップと、前記タイマがタイムアウトするまでの間に第１５のステップで前記ユーザの応答を検出できなかったとき着信に応答できない旨の不応答メッセージを発信元へ送信して着信呼を切断し前記初期状態へ移行する第１７のステップと、第１５のステップにおいて前記ユーザの応答を検出したとき呼接続処理を行い、通話モード時の信号経路を設定する第１８のステップと、前記メモリに現在にモードが通話モードである旨を記録し通話状態に移行する第１９のステップと、通話の終了を検出したとき拡声モード時の信号経路を設定する第２０のステップと、前記メモリに現在のモードが拡声モードである旨を記録し前記初期状態に移行する第２１のステップを有することを特徴とする。
【００１９】
本発明の拡声機能付き移動電話機の拡声プログラムは、発信元の移動電話機と着信先の移動電話機とを基地局を介して無線回線で接続し通話を行う受話信号を出力するレシーバと、ユーザが発する音声を集音するマイクロホンと、着信音を出力するスピーカと、電力制御機能や周波数切替機能を備える通信制御部と、送話音声信号および受話音声信号のデジタルデータとアナログデータの変換機能を備える音声変換部と、ダイヤルキー、ファンクションキーからなる操作部と、前記操作部の操作情報を検出するキー入力制御部と、電話番号、文字情報を表示する表示部と、前記表示部を制御する表示制御部と、種々機能を実行するためのプログラムおよび情報を記憶するメモリと、前記音声変換部が出力する受話音声信号を増幅し前記レシーバへ出力する受話増幅器と、前記マイクロホンが集音した話者音声信号を増幅し前記音声変換部へ出力する第１の送話増幅器と、呼出信号を増幅し前記スピーカへ出力するスピーカ増幅器と、前記移動電話機全体を制御する中央処理装置と、イヤホンジャックとを有する移動電話機において、前記レシーバをマイクロホンとして作動させたとき出力する話者音声信号を増幅する第２の送話増幅器と、前記移動電話機の待ち受けモード、通話モードにおける前記音声変換部と前記受話増幅器を接続する受話信号路および前記第１の送話増幅器と前記音声変換部を接続する送話信号路を遮断し、且つ前記スピーカ増幅器に入力する呼出信号路を遮断し、前記第１の送話増幅器が出力する話者音声信号と前記第２の送話増幅器が出力する前記話者音声信号を合成し前記スピーカ増幅器へ接続し、且つ前記スピーカ増幅器が出力する前記第１の送話増幅器および第２の送話増幅器からの話者音声信号をユーザの要求により前記スピーカまたは前記イヤホンジャックへ接続する信号経路を設定する拡声モードの設定を処理するステップと、前記拡声モードの設定ステップにより拡声モードが設定された状態において前記ユーザが発する音声の拡声を処理するステップと、拡声モードが設定された状態における着信、または前記ユーザが発する音声の拡声中における着信を処理するステップを中央処理装置に実行させる。
また、前記拡声モードの設定を処理ステップは、拡声モードが設定された初期状態において、前記ユーザのモード切替操作を検出する第１のステップと、第１のステップで検出したモード切替操作情報が拡声モード設定要求か否かを判定する第２のステップと、第２のステップにおける判定が拡声モード設定要求であるとき、前記レシーバがマイクロホンとして作動し前記ユーザが発する音声を集音して出力する話者音声信号を増幅する第２の送話増幅器の出力信号と、前記マイクロホンが前記ユーザの発する音声を集音して出力する話者音声信号を増幅する第１の送話増幅器の出力信号とを前記スピーカ増幅器の入力に接続するように信号経路を設定する第３のステップと、前記メモリに現在のモードが拡声モードである旨を記録する第４のステップと、第２のステップにおける判定が拡声モード設定要求でないとき、拡声モード解除要求か否かを判定する第５のステップと、第５のステップにおける判定結果が拡声モード解除要求でないとき第２のステップへ移行し、第５のステップにおける判定結果が拡声モード解除要求であるとき前記待ち受けモード時の信号経路を設定する第６のステップと、前記メモリに現在のモードが待ち受けモードである旨を記録する第７のステップを中央処理装置に実行させる。
また、拡声モードが設定された状態において前記ユーザが発する音声の拡声を処理するステップは、拡声モードが設定された初期状態において、前記ユーザが発する音声を前記マイクロホンおよび前記レシーバにより集音し出力する話者音声信号を所定の音量で前記スピーカから拡声する第８のステップと、前記ユーザの所定のキー操作による拡声音量調整操作に応答して前記スピーカを駆動するスピーカ増幅器の利得を制御する第９のステップと、第９のステップにおいて調整した拡声音量レベルを前記表示部に表示する第１０のステップと、前記ユーザが発する音声の拡声中における着信の有無を監視する第１１のステップと、着信が無かったとき拡声を継続し、拡声が終了したとき前記初期状態に移行する第１２のステップを中央処理装置に実行させるプログラム。
また、拡声モードが設定された状態における着信を処理するステップは、拡声モードが設定された初期状態において、着信の有無を監視する第１３のステップと、着信が無かったとき前記初期状態に移行し、第１３のステップで着信を検出したとき、および前記第１１のステップ拡声中に着信を検出したとき前記スピーカを鳴動させること無く前記表示部に着信がある旨の着信メッセージを表示する第１４のステップと、前記着信メッセージの前記表示部への着信と同時にタイマを起動しユーザの応答を監視する第１５のステップと、前記タイマがタイムアウトを検出する第１６のステップと、前記タイマがタイムアウトするまでの間に第１５のステップで前記ユーザの応答を検出できなかったとき着信に応答できない旨の不応答メッセージを発信元へ送信して着信呼を切断し前記初期状態へ移行する第１７のステップと、第１５のステップにおいて前記ユーザの応答を検出したとき呼接続処理を行い、通話モード時の信号経路を設定する第１８のステップと、前記メモリに現在にモードが通話モードである旨を記録し通話状態に移行する第１９のステップと、通話の終了を検出したとき拡声モード時の信号経路を設定する第２０のステップと、前記メモリに現在のモードが拡声モードである旨を記録し前記初期状態に移行する第２１のステップを中央処理装置に実行させる。
【００２０】
【発明の実施の形態】
本発明の実施の形態について図面を参照して説明する。
図１は本発明の拡声機能付き移動電話機の外観を示す図であり（Ａ）は正面、（Ｂ）は背面を示す図、図２は本発明の拡声機能付き移動電話機の主要回路の構成を示す図、図３は本発明の拡声モードの設定および解除の処理を説明するためのフローチャート、図４は本発明の拡声モードの処理を説明するためのフローチャート、図５は本発明の拡声モード時における信号経路の切替を説明するための図である。
【００２１】
本発明の実施の形態について図を参照して説明する。
最初に図１を参照して拡声機能付き移動電話機の外観構成について説明する。
図１に示す拡声機能付き移動電話機１の正面には、筐体上部に受話口２１、筐体下部に送話口２２が、略中央には通話ボタン３および機能キー４が、通話ボタン３および機能キー４と受話口２１との間には表示部２が、通話ボタン３および機能キー４と送話口２２との間には複数のダイヤルボタン５がそれぞれ配設され、また筐体右側面にはイヤホンジャック２０が配設され、更に背面にはスピーカ２３が配設されている。
スピーカ２３は、待ち受け状態における着信時には呼出音やアラーム音を出力し、拡声モード時にはユーザの話者音声を出力する。
受話口２１は内部にレシーバを備え、通話モードには受話音声を出力し、拡声モード時にはユーザの話者音声を集音するマイクロホンとして動作する可逆性音響変換素子が使用されている。
送話口２２は内部にマイクロホンを備え通話モードおよび拡声モード時に話者音声を集音する。このマイクロホンもレシーバと同様可逆性音響変換素子を使用する。
【００２２】
表示部２は液晶パネル等で構成され、電話番号等の文字情報を表示する。通話ボタン３は通話開始時にユーザが操作し、機能キー４は所定の機能選択の際ユーザが操作し、拡声モード時に音量調整に使用する。ダイヤルボタン５は発信時のダイヤル入力に使用する。本発明の拡声モードの選択に使用する。
イヤホンジャック２０は、イヤホンによる通話を行う場合に使用する。本発明の拡声モード時には外部スピーカを接続しユーザの話者音声を出力することができる。この場合にはスピーカ２３からの話者音声の出力は停止する。
次に図２を参照して本発明の拡声機能付き移動電話機の回路構成について説明する。図２によれば表示部（図１の２）の表示を制御する表示制御部１１と、ダイヤルボタン（図１の５）や機能キー（図１の４）等のキー入力情報を検出し、対応する制御情報を出力するキー入力制御部１２と、移動電話機の種々情報を記録するメモリ１３と、移動電話機全体を制御する中央処理装置（以下ＣＰＵ）１４と、着信を振動により報知するためのバイブレータ１５と、電力制御機能や周波数切替機能を備えた通信制御部１６と、送話信号および受話信号のデジタルデータとアナログデータの変換機能を備えた音声変換部１７と、待ち受けモードおよび通話モード時の受話信号路および送話信号路を拡声モード時に切替える信号経路切替部１８と、着信時の呼出音および拡声モード時の話者音声を所定のレベルに増幅するスピーカ増幅器１９と、拡声モード時の話者音声信号を外部スピーカ（図示せず）へ出力するためのイヤホンジャック２０と、受話口（レシーバ）２１と、送話口（マイクロホン）２２と、着信時の呼出音および拡声モード時の話者音声を出力するスピーカ２３と、通話（通話モード）時の受話信号を増幅して受話口のレシーバへ出力する受話増幅器２４と、拡声モード時に受話口のレシーバから入力される話者音声信号を増幅する送話増幅器２（第２の送話増幅器）２５と、通話モードおよび拡声モード時に送話口のマイクロホンが集音した話者音声信号を増幅する送話増幅器１（第１の送話増幅器）２６とから構成されている。
ＣＰＵ１４は、ユーザのダイヤルボタン５の所定のキー操作による拡声モード選択操作を検出したキー入力制御部１２から拡声モード選択情報を受信すると、メモリ１３に選択された現在のモード（拡声モード）を記憶すると共に、拡声モードを設定するために信号経路切替部１８を制御して受話口２１と送話口２２を音声入力装置、スピーカ２３またはイヤホンジャック２０を音声出力装置とするように信号経路を確立する。
次に図３に図１、図２を併せて参照して本発明の拡声モードの設定および解除処理について説明する。
【００２３】
拡声機能付き移動電話機が待ち受けモード（図３のステップＳ１０１）のとき、ユーザがダイヤルボタン５の所定のキーによりモード切替操作を行う（Ｓ１０２）と、キー入力制御部１２はそのキー情報を検出し（Ｓ１０３）、ＣＰＵ１４へ通知する。
【００２４】
ＣＰＵ１４は、通知されたキー情報が拡声モード設定要求であるか否かを判定する（Ｓ１０４）。判定結果が拡声モード設定要求である場合には、信号経路切替部１８に対し拡声モード対応の信号経路の切替を指示する（Ｓ１０５）。
【００２５】
信号経路切替部１８による拡声モード対応の信号経路の設定が完了すると、現在（設定後）のモードが拡声モードである旨をメモリ１３の所定のエリアに記憶し（Ｓ１０６）、拡声モードの設定を終了する（Ｓ１０７）。
【００２６】
ＣＰＵ１４は、ステップＳ１０４における判定結果が拡声モード設定要求以外の場合には、拡声モード解除要求であるか否かを判定し（Ｓ１０８）、拡声モード解除要求で無かった場合はステップＳ１０４へ移行し、拡声モード解除要求であった場合には、信号経路切替部１８に対し待ち受けモード対応の信号経路への切替（復旧）を指示する（Ｓ１０９）。
【００２７】
信号経路切替部１８による待ち受けモード対応の信号経路の設定が完了すると、現在モードが拡声モードである旨が記憶されていたメモリ１３の所定のエリアを、現在（設定後）のモードが待ち受けモードである旨に書き替え（Ｓ１１０）、拡声モードの解除を終了する（Ｓ１１１）。
【００２８】
ここで図５を参照して、信号経路切替部１８による待ち受けモードおよび通話モードの場合と拡声モードの場合の信号経路の切替原理について説明する。
図５に示すように、待ち受けモードおよび通話モード時の場合は、信号変換部１７から出力される受話信号は、スイッチＳ１の接点Ｂ，Ａを介して受話増幅器２４、スイッチＳ１の接点Ｅ、Ｄを介して受話口２１に接続され、送話口２２からの送話信号は送話増幅器１（第１の送話増幅器）２６、スイッチＳ１の接点Ｋ，Ｌを介して音声変換部１７へ接続されており、受話信号は受話口２１から外部に出力され、ユーザの発生音声は送話口２２で集音され送話信号として音声変換部１７へ入力される。
また、待ち受けモードにおける着信時には、呼出信号がスイッチＳ２の接点Ｓ，Ｒ、スイッチＳ１の接点Ｑ，Ｎを介してスピーカ増幅器１９に接続され、スピーカ増幅器１９の出力がスイッチＳ３の接点Ｕ，Ｖを介してスピーカ２３に接続され、着信時に呼出信号がスピーカ２３から出力される。
スイッチＳ２は着信に対し通話ボタン３の操作によるユーザの応答操作に連動して作動し、ユーザが応答操作したときＳ２が作動し呼出信号が遮断される。
拡声モードにおいて外部スピーカを使用して拡声する場合には、ユーザのダイヤルボタンによる所定の操作に連動してスイッチＳ３が作動し、スピーカ増幅器１９の出力はスイッチＳ３の接点Ｕ，Ｗを介してイヤホンジャック２０に接続された外部スピーカ（図示せず）に接続され、外部スピーカから拡声される。
スイッチＳ１は、ダイヤルボタン５の操作によるユーザの拡声モード設定要求に連動して作動し、受話口のレシーバが集音した話者音声信号はスイッチＳ１の接点Ｄ，Ｆ、送話増幅器２（第２の送話増幅器）２５、スイッチＳ１の接点Ｇ，Ｊ、Ｐ，Ｎを介してスピーカ増幅器１９に接続される。
送話口のマイクロホンが集音した話者音声信号は送話増幅器１（第１の送話増幅器）２６を介してスイッチＳ１の接点Ｋ，Ｍ、Ｐ，Ｎを介してスピーカ増幅器１９に接続される。
スピーカ増幅器１９に接続された受話口のレシーバからの話者音声信号および送話口のマイクロホンからの話者音声信号は、スピーカ増幅器１９により所定のレベルに増幅され、スイッチＳ３の接点Ｕ，Ｖを介してスピーカ２３に接続され拡声される。
なお、図５に示す経路変換の原理図は説明を容易にするために、スイッチＳ１、Ｓ２、Ｓ３を使用したが、どのような方法であってもよい。例えばソフトウェアで実現することも可能である。
次に図４に図１、図２を併せて参照し本発明の拡声モード設定状態における動作について説明する。
図３に示す処理により拡声モードが設定されている状態（図４のステップＳ２０１）で送話口（マイクロホン）２２および受話口（第１のスピーカ）２１からユーザの発生音声を入力し（Ｓ２０２）、スピーカ（第２のスピーカ）２３から拡声する（Ｓ２０３）。
スピーカ２３から拡声される拡声音量を調整する場合には（Ｓ２０４）、機能キー４を操作する（Ｓ２０５）。
キー入力制御部１２はそのキー情報を検出しＣＰＵ１４へ通知する。ＣＰＵ１４は、通知されたキー情報を基にスピーカ増幅器１９の利得を制御し（Ｓ２０７）、ユーザが要求した音量に設定する。
このとき、設定した音量レベルを表示制御部１１を介して表示部２に表示する（Ｓ２０８）。
ＣＰＵ１４は、拡声中の着信を監視し（Ｓ２０９）、拡声中に着信が無いときは現在の拡声を継続し（Ｓ２１０）、拡声が終了すると（Ｓ２１１）ステップＳ２０１へ移行し、ステップＳ２０９において着信を検出した場合には、ステップＳ２１２へ移行し、以降のステップＳ２１２からＳ２２４の処理を実行する。なおこの処理については後述する。
【００２９】
次に拡声モードが設定されて状態で着信または拡声中に着信があった場合の処理について説明する。
ＣＰＵ１４は、拡声モード設定状態で拡声を開始する前に通信制御部１６から着信通知を受け着信有を判定すると（Ｓ２１２）、またはステップＳ２０９で拡声実行中に着信検出しとき（Ｓ２０９）、メモリ１３を検索し現在拡声モードが設定されていることを認識すると着信メッセージを表示部２に表示する（Ｓ２１３）。このときスピーカ２３への呼出音の接続は線路変換レジスタにより遮断されており、またバイブレータの動作も所定の方法で停止させる。
ＣＰＵ１４は、同時にタイマ（図示せず）を起動し（Ｓ２１４）、ユーザの応答操作を監視する（Ｓ２１５）。ＣＰＵ１４は、ユーザによる通話ボタン３の操作情報を検出することにより着信応答を検出する。
ユーザの応答が無いまま所定時間経過し、タイマのタイムアウトを検出すると（Ｓ２１６）、予め登録してある電話に出られない旨の不応答メッセージを通信制御部１６を介して発信元へ送出し（Ｓ２１７）、着信呼の切断処理（Ｓ２１８）を行いステップＳ２０１へ移行する。
ＣＰＵ１４は、ステップＳ２１５でユーザの通話ボタン操作による応答を検出した場合には、所定の呼接続処理を行い（Ｓ２１９）、所定の呼接続処理が完了すると、信号経路切替部１８に対し通話モード時の信号経路を設定（復旧）を指示する（Ｓ２２０）。
ＣＰＵ１４は、信号経路切替部が通話モード時の信号経路の設定を完了すると、メモリ１３の所定のエリアに記憶されている拡声モードである旨の記録を通話モードに書き替え（Ｓ２２１）、通話状態となる（Ｓ２２２）。
ＣＰＵ１４は、通話の終了（Ｓ２２３）を検出すると、信号経路切替部１８に拡声モード時の信号経路の設定を指示し（Ｓ２２４）、信号経路切替部１８は図５に示す拡声モードに対応する信号経路を設定する。
ＣＰＵ１４は、信号経路切替部１８が拡声モードに対応する信号経路の設定を終了すると、メモリ１３の所定のエリアに記憶されている通話モードダル旨の記録を拡声モードである旨の記録に書き替え（Ｓ２２５）、ステップＳ２０１へ移行する。
【００３０】
【発明の効果】
以上のように本発明によれば、従来の移動電話機における待ち受けモードおよび通話モードに、拡声モードを加え、拡声モード時には、待ち受けモード時および通話モード時の音声変換部と受話増幅器間の受話信号路および音声変換部と送話増幅器間の送話信号路を遮断し、レシーバをマイクロホンとして作動させ、レシーバが集音した話者音声信号を増幅する第２の送話増幅器を設け、第２の送話増幅器が出力する話者音声信号と、従来備えるマイクロホンが集音した話者音声信号を増幅する第１の送話増幅器が出力する話者音声信号とを合成して従来備えるスピーカ増幅器に入力する信号経路を設定し、着信音を出力するスピーカから拡声するので、移動電話機を拡声装置として使用することができる。
【００３１】
また、レシーバが出力する話者音声信号のレベルをマイクロホンが出力する話者音声信号のレベルと同レベルになるように第２の送話増幅器の利得を設定することにより、第１の送話増幅器の出力と第２の送話増幅器の出力を合成した信号レベルは２倍となり、スピーカから拡声される音量は十分な音量を得ることができる。
【００３２】
また、ユーザが所定のキー操作によりスピーカ増幅器の利得を可変可能で、且つ音量レベルが表示部に表示されるため、ユーザの所望するスピーカ音量に容易に調整することができる。
【００３３】
また、拡声モードが設定された状態および拡声モードによりユーザの発する音声を拡声中であっても着信があれば直ちに着信モードに移行し、通常の着信処理を行うので拡声モード中であっても着信に対応することができる。
【図面の簡単な説明】
【図１】本発明の拡声機能付き移動電話機の外観を示す図であり（Ａ）は正面、（Ｂ）は背面を示す図である。
【図２】本発明の拡声機能付き移動電話機の主要回路の構成を示す図である。
【図３】本発明の拡声モードの設定および解除の処理を説明するためのフローチャートである。
【図４】本発明の拡声モードの処理を説明するためのフローチャートである。
【図５】本発明の拡声モード時における信号経路の切替を説明するための図である。
【符号の説明】
１    拡声機能付き移動電話機
２    表示部
３    通話ボタン
４    機能キー
５    ダイヤルボタン
１１    表示制御部
１２    キー入力制御部
１３    メモリ
１４    ＣＰＵ
１５    バイブレータ
１６    通信制御部
１７    音声変換部
１８    信号経路切替部
１９    スピーカ増幅器
２０    イヤホンジャック
２１    受話口
２２    送話口
２３    スピーカ
２４    受話増幅器
２５    送話増幅器２（第２の送話増幅器）
２６    送話増幅器１（第１の送話増幅器）
【図１】
2005020435.tif 000003
【図２】
2005020435.tif 000004
【図３】
2005020435.tif 000005
【図４】
2005020435.tif 000006
【図５】
2005020435.tif 000007